(57)【要約】      （修正有）【課題】監視カメラに音声入力と音声出力機能を持たせ信号線の削減を図り、設置の容易さと同時に配線費用の削減が可能としてシステム全体のコスト削減を図る。【解決手段】映像を電気信号に変換する映像入力部1-1と、映像信号を増幅する映像信号増幅部1-4と、映像信号増幅部1-4から送られてくる映像信号を監視部2へ伝送する監視カメラにおいて、マイクロフォン1-2から送られてきた音声信号を増幅する音声信号増幅部1-5と、音声信号増幅部1-5から送られてくる音声信号を監視部2へ伝送する伝送路I/F1-6を有する。監視部２においては、伝送路I/F1-6から送られてきた音声信号を増幅する音声信号増幅部と、ここから出力される音声信号を音声に変換するスピーカを有する。【選択図】図１
0003138567.tif 000002
【実用新案登録請求の範囲】
【請求項１】
撮像素子を用いて映像を電気信号に変換する映像入力部と前記映像入力部から送られてきた微弱な映像信号を適当な状態まで増幅する映像信号増幅部と前記映像信号増幅部から送られてくる映像信号を伝送路I/Fを介して監視部へ伝送する監視カメラにおいて、
音声を電気信号に変換するマイクロフォンと前記マイクロフォンから送られてきた微弱な音声信号を適当な状態まで増幅する音声信号増幅部と前記音声信号増幅部から送られてくる音声信号を監視部へ伝送する伝送路I/Fを有し、前記伝送路I/Fを介して送られてきた音声信号を適当な状態まで増幅する音声信号増幅部と前記音声信号増幅部から出力される音声信号を音声に変換するスピーカを有することを特徴とする双方向音声一体型監視カメラ。
【請求項２】
前記双方向音声一体型監視カメラにおいて、前記映像信号増幅器から出力された映像信号を変調する映像信号変調部と前記音声信号増幅器から出力された音声信号を変調する音声信号変調部とを有し、前記映像信号変調部と前記音声信号変調部から出力される信号を混合する混合分配部と前記混合分配器から出力される前記映像信号変調部と前記音声信号変調部から出力される信号を監視部へ伝送する伝送路I/Fを有し、前記伝送路I/Fを介して送られてきた音声変調信号を混合分配部を介して音声信号復調部へ伝送し、前記音声復調信号を復調し、復調された音声信号を音声信号増幅器へ転送し適当な状態まで増幅された前記音声信号を音声に変換するスピーカを有することを特徴とする請求項１記載の双方向音声一体型監視カメラ。
【請求項３】
前記双方向音声一体型監視カメラにおいて、前記映像信号増幅器から出力された映像信号と前記音声信号増幅器から出力された音声信号をデジタル化するアナログデジタル変換部を有し、前記アナログデジタル変換部から出力されるデジタル化された映像信号と音声信号をイーサネット（登録商標）信号に変換するIPパケット変換部と前記IPパケット変換部から出力されるIPパケットを伝送路に出力する伝送路I/Fを有し、前記伝送路I/Fから出力されるIPパケットから所望の音声デジタル化された音声パケットを抜き出すIPパケット変換部と抜き出された音声パケットをアナログ信号に変換するデジタルアナログ変換部と前記デジタルアナログ変換部から出力されるアナログ音声信号を音声信号増幅器へ転送し適当な状態まで増幅された前記音声信号を音声に変換するスピーカを有することを特徴とする請求項１記載の双方向音声一体型監視カメラ。
【考案の詳細な説明】
【技術分野】
【０００１】
本考案は、映像情報を使って犯罪の発生を監視し、また、抑制する目的で導入される映像監視システムにおいて、映像を撮影する双方向音声一体型監視カメラに関する。
【背景技術】
【０００２】
従来の映像を撮影する映像監視カメラは、例えば特許文献１に示すように、映像を撮影するためだけの目的で作られていた。
【特許文献１】特開２００１−３５１１９０  この発明は、横断歩道、地下道、階段、段差、駅のホーム等の危険個所における視覚障害者の危険を回避して安全に通行できるようにするものである。  その構成は、階段の上部に設置された監視カメラ１により撮影された画像を制御装置３により処理し、制御装置３が歩行支援の支援の対象者である視覚障害者の存在を認識すると、危険個所があることの警告、安全な通過の方法、迂回路等の経路誘導等の案内の音声をスピーカ２から出力するものである。
【考案の開示】
【考案が解決しようとする課題】
【０００３】
上述のように、映像監視カメラから出力された映像を監視し、その周りの人に音声で注意を促す時や、逆に、カメラの周りの人の音声を聞くときには、映像監視カメラとは別にスピーカやマイクロフォンの設備を用意しなければならずまた、配線も映像用と音声用を別々に配線する必要があり、設置が煩雑になると同時に、配線工事費用が高く、システム全体のコストアップ要因になっている。
本発明は、従来の映像を撮影する映像監視カメラに、音声入力と音声出力機構を持たせ、また、変調技術を用いて信号線の削減を図ることにより、設置の容易さと同時に、配線工事費用の削減が可能になり、システム全体のコスト削減につながる映像監視カメラを提供することを目的とする。
【課題を解決するための手段】
【０００４】
上記課題を解決するために、本考案の要旨とするところは、撮像素子を用いて映像を電気信号に変換する映像入力部と前記映像入力部から送られてきた微弱な映像信号を適当な状態まで増幅する映像信号増幅部と前記映像信号増幅部から送られてくる映像信号を伝送路I/Fを介して監視部へ伝送する監視カメラにおいて、音声を電気信号に変換するマイクロフォンと前記マイクロフォンから送られてきた微弱な音声信号を適当な状態まで増幅する音声信号増幅部と前記音声信号増幅部から送られてくる音声信号を監視部へ伝送する伝送路I/Fを有し、前記伝送路I/Fを介して送られてきた音声信号を適当な状態まで増幅する音声信号増幅部と前記音声信号増幅部から出力される音声信号を音声に変換するスピーカを有することを特徴とする双方向音声一体型監視カメラである。
【０００５】
また、本考案の要旨とするところは、前記双方向音声一体型監視カメラにおいて、前記映像信号増幅器から出力された映像信号を変調する映像信号変調部と前記音声信号増幅器から出力された音声信号を変調する音声信号変調部とを有し、前記映像信号変調部と前記音声信号変調部から出力される信号を混合する混合分配部と前記混合分配器から出力される前記映像信号変調部と前記音声信号変調部から出力される信号を監視部へ伝送する伝送路I/Fを有し、前記伝送路I/Fを介して送られてきた音声変調信号を混合分配部を介して音声信号復調部へ伝送し、前記音声復調信号を復調し、復調された音声信号を音声信号増幅器へ転送し適当な状態まで増幅された前記音声信号を音声に変換するスピーカを有することを特徴とする双方向音声一体型監視カメラである。
【０００６】
また、本考案の要旨とするところは、前記双方向音声一体型監視カメラにおいて、前記映像信号増幅器から出力された映像信号と前記音声信号増幅器から出力された音声信号をデジタル化するアナログデジタル変換部を有し、前記アナログデジタル変換部から出力されるデジタル化された映像信号と音声信号をイーサネット（登録商標）信号に変換するIPパケット変換部と前記IPパケット変換部から出力されるIPパケットを伝送路に出力する伝送路I/Fを有し、前記伝送路I/Fから出力されるIPパケットから所望の音声デジタル化された音声パケットを抜き出すIPパケット変換部と抜き出された音声パケットをアナログ信号に変換するデジタルアナログ変換部と前記デジタルアナログ変換部から出力されるアナログ音声信号を音声信号増幅器へ転送し適当な状態まで増幅された前記音声信号を音声に変換するスピーカを有することを特徴とする双方向音声一体型監視カメラである。
【考案の効果】
【０００７】
上記構成の本考案は、従来の映像を撮影する映像監視カメラに、音声入力と音声出力機能を持たせ、また、変調技術を用いて信号線の削減を図ることにより、設置の容易さと同時に、配線費用の削減が可能になり、システム全体のコスト削減につながる。更に変調技術やIPパケット技術を利用すれば、伝送路の配線を一本に削減することも可能である等の効果を奏する。
【考案を実施するための最良の形態】
【０００８】
本考案の実施をするための最良の形態は、撮像素子を用いて映像を電気信号に変換する映像入力部と前記映像入力部から送られてきた微弱な映像信号を適当な状態まで増幅する映像信号増幅部と前記映像信号増幅部から送られてくる映像信号を伝送路I/Fを介して監視部へ伝送する監視カメラにおいて、音声を電気信号に変換するマイクロフォンと前記マイクロフォンから送られてきた微弱な音声信号を適当な状態まで増幅する音声信号増幅部と前記音声信号増幅部から送られてくる音声信号を監視部へ伝送する伝送路I/Fを有し、前記伝送路I/Fを介して送られてきた音声信号を適当な状態まで増幅する音声信号増幅部と前記音声信号増幅部から出力される音声信号を音声に変換するスピーカを有することを特徴とする双方向音声一体型監視カメラである。
【０００９】
まず、図１と図２とを用いて、双方向音声一体型監視カメラの基本動作原理を説明する。監視対象の映像は、撮像素子を使った映像入力部1-1からアナログ信号として出力されるものと仮定して、以下の説明を行う。
映像入力部1-1から出力されたアナログ映像信号は、映像信号増幅部1-4で適当な電圧に増幅され伝送路I/F1-6と伝送路３を介して、遠隔地に設置された監視部２へ伝送される。監視部2は監視部の一例であるが、双方向音声一体型監視カメラ1から伝送されてきた映像信号は、伝送路I/F2-5を介して映像表示部2-1へ伝送され、双方向音声一体型監視カメラ1で撮影された映像が映し出される。
【００１０】
また、音声はマイクロフォン1-2で電気信号に変換され電気信号変換された音声信号は音声信号増幅部1-5へ伝送される。
音声信号増幅部1-5で伝送に適した電圧まで増幅された音声信号は、伝送路I/F1-6と伝送路３を介して、遠隔地に設置された監視部２へ伝送される。双方向音声一体型監視カメラ1から伝送されてきた音声信号は、伝送路I/F2-5を介して音声信号増幅部2-2で適当な電圧まで増幅され、スピーカ2-3へ伝送され、双方向音声一体型監視カメラ1で検出された音声が再生される。
【００１１】
逆に、監視部２から双方向音声一体型監視カメラ1へ音声信号を伝送する場合は、マイクロフォン2-4で電気信号に変換され電気信号変換された音声信号は音声信号増幅部2-2へ伝送される。音声信号増幅部2-2で伝送に適した電圧まで増幅された音声信号は、伝送路I/F2-5と伝送路３を介して、遠隔地に設置された双方向音声一体型監視カメラ1へ伝送される。監視部２から伝送されてきた音声信号は、伝送路I/F1-6を介して音声信号増幅部1-5で適当な電圧まで増幅され、スピーカ1-3へ伝送され、監視部２で発した警告の音声が再生される。
【００１２】
次に、図３と図４を用いて、伝送路の配線を削減する手法を説明する。撮像素子を使った映像入力部1-1からアナログ信号として出力されるものと仮定して、以下の説明を行う。映像入力部1-1から出力されたアナログ映像信号は、映像信号増幅部1-4で適当な電圧に増幅され変調部1-7へ伝送され、例えば周波数F1で変調され混合分配部1-10と伝送路I/F1-6と伝送路３を介して、遠隔地に設置された監視部２へ伝送される。
【００１３】
監視部2は監視部の一例であるが、双方向音声一体型監視カメラ1から伝送されてきた映像信号は、伝送路I/F2-5と混合分配部2-9を介して復調部2-6でベースバンド信号に復調された後、映像表示部2-1へ伝送され、双方向音声一体型監視カメラ1で撮影された映像が映し出される。
【００１４】
また、音声はマイクロフォン1-2で電気信号に変換され電気信号変換された音声信号は音声信号増幅部1-5へ伝送される。
音声信号増幅部1-5で伝送に適した電圧まで増幅された音声信号は変調部１-8で例えば周波数F2で変調され、混合分配部1-10と伝送路I/F1-6と伝送路３を介して、遠隔地に設置された監視部２へ伝送される。双方向音声一体型監視カメラ1から伝送されてきた音声信号は、伝送路I/F2-5と混合分配部2-9を介して復調部2-7でベースバンド信号に復調された後、音声信号増幅部2-2で適当な電圧まで増幅され、スピーカ2-3へ伝送され、双方向音声一体型監視カメラ1で検出された音声が再生される。
【００１５】
逆に、監視部２から双方向音声一体型監視カメラ1へ音声信号を伝送する場合は、マイクロフォン2-4で電気信号に変換され電気信号変換された音声信号は音声信号増幅部2-2へ伝送される。音声信号増幅部2-2で伝送に適した電圧まで増幅された音声信号は変調部2-8で例えば周波数F3で変調され、混合分配部2-9と伝送路I/F2-5と伝送路３を介して、遠隔地に設置された双方向音声一体型監視カメラ1へ伝送される。
【００１６】
監視部２から伝送されてきた音声信号は、伝送路I/F1-6と混合分配部1-10を介して復調部1-9でベースバンド信号に復調された後、音声信号増幅部1-5で適当な電圧まで増幅され、スピーカ1-3へ伝送され、監視部２で発した警告の音声が再生される。以上説明した手法により、伝送路は例えば同軸ケーブル一本で、映像と音声の双方向伝送が可能になる。
【００１７】
次に、図５と図６を用いて、PCネットワークで仕様されるイーサネット（登録商標）を伝送路として配線を容易にする手法を説明する。撮像素子を使った映像入力部1-1からアナログ信号として出力されるものと仮定して、以下の説明を行う。
【００１８】
映像入力部1-1から出力されたアナログ映像信号は、映像信号増幅部1-4で適当な電圧に増幅されアナログデジタル変換部1-11でアナログ信号からデジタル信号へ変換された後、IPパケット変換部1-13でイーサネット（登録商標）に適合したパケットに変換され伝送路I/F1-6と伝送路３を介して、遠隔地に設置された監視部２へ伝送される。IPパケットに変換する手法は公知であり、ここでは説明を割愛する。
【００１９】
監視部2は、監視部の一例であるが、双方向音声一体型監視カメラ1から伝送されてきた映像信号は、伝送路I/F2-5を介してIPパケット変換部2-12でデジタル映像信号が抽出されデジタルアナログ変換部2-10でアナログ信号に変換された後、映像表示部2-1へ伝送され、双方向音声一体型監視カメラ1で撮影された映像が映し出される。
【００２０】
また、音声はマイクロフォン1-2で電気信号に変換され電気信号変換された音声信号は音声信号増幅部1-5へ伝送される。
音声信号増幅部1-5で伝送に適した電圧まで増幅された音声信号はアナログデジタル変換部1-11でアナログ信号からデジタル信号へ変換された後、IPパケット変換部1-13でイーサネット（登録商標）に適合したパケットに変換され伝送路I/F1-6と伝送路３を介して、遠隔地に設置された監視部２へ伝送される。双方向音声一体型監視カメラ1から伝送されてきた音声信号は、伝送路I/F2-5を介してIPパケット変換部2-12でデジタル音声信号が抽出されデジタルアナログ変換部2-10でアナログ信号に変換された後、音声信号増幅部2-2で適当な電圧まで増幅され、スピーカ2-3へ伝送され、双方向音声一体型監視カメラ1で検出された音声が再生される。
【００２１】
逆に、監視部２から双方向音声一体型監視カメラ1へ音声信号を伝送する場合は、マイクロフォン2-4で電気信号に変換され電気信号変換された音声信号は音声信号増幅部2-2へ伝送される。音声信号増幅部2-2で伝送に適した電圧まで増幅された音声信号はアナログデジタル変換部2-11でアナログ信号からデジタル信号へ変換された後、IPパケット変換部2-12でイーサネット（登録商標）に適合したパケットに変換され、伝送路I/F2-5と伝送路３を介して、遠隔地に設置された双方向音声一体型監視カメラ1へ伝送される。
【００２２】
監視部２から伝送されてきた音声信号は、伝送路I/F1-6を介してIPパケット変換部1-13でデジタル音声信号が抽出されデジタルアナログ変換部1-12でアナログ信号に変換された後、音声信号増幅部1-5で適当な電圧まで増幅され、スピーカ1-3へ伝送され、監視部２で発した警告の音声が再生される。以上説明した手法により、PCネットワークで使用されているイーサネット（登録商標）を利用した映像と音声の双方向伝送が可能になる。
【図面の簡単な説明】
【００２３】
【図１】本考案の双方向音声一体型監視カメラの一実施例の概要図である。
【図２】本考案の双方向音声一体型監視カメラの一実施例の概要図である。
【図３】本考案の双方向音声一体型監視カメラの配線数を削減する一実施例の概要図である。
【図４】本考案の双方向音声一体型監視カメラの配線数を削減する一実施例の概要図である。
【図５】本考案の双方向音声一体型監視カメラのPCネットワークを利用した伝送路の一実施例の概要図である。
【図６】本考案の双方向音声一体型監視カメラのPCネットワークを利用した伝送路の一実施例の概要図である。
【符号の説明】
【００２４】
１ 双方向音声一体型監視カメラ
１−１  映像入力部
１−２  マイクロフォン
１−３  スピーカ
１−４  映像信号増幅部
１−５  音声信号増幅部
１−６  伝送路I/F
１−７  変調部（映像信号）
１−８  変調部（音声信号）
１−９  復調部（音声信号）
１−１０  混合分配部
１−１１  アナログデジタル変換部
１−１２  デジタルアナログ変換部
１−１３  IPパケット変換部
２  監視部
２−１  映像表示部
２−２  音声信号増幅部
２−３  スピーカ
２−４  マイクロフォン
２−５  伝送路I/F
２−６  復調部（映像信号）
２−７  復調部（音声信号）
２−８  変調部（音声信号）
２−９  混合分配部
２−１０  デジタルアナログ変換部
２−１１  アナログデジタル変換部
２−１２  IPパケット変換部
３  伝送路
【図１】
0003138567.tif 000003
【図２】
0003138567.tif 000004
【図３】
0003138567.tif 000005
【図４】
0003138567.tif 000006
【図５】
0003138567.tif 000007
【図６】
0003138567.tif 000008
【手続補正書】
【提出日】平成19年10月26日(2007.10.26)
【手続補正１】
【補正対象書類名】明細書
【補正対象項目名】０００３
【補正方法】変更
【補正の内容】
【０００３】
上述のように、映像監視カメラから出力された映像を監視し、その周りの人に音声で注意を促す時や、逆に、カメラの周りの人の音声を聞くときには、映像監視カメラとは別にスピーカやマイクロフォンの設備を用意しなければならずまた、配線も映像用と音声用を別々に配線する必要があり、設置が煩雑になると同時に、配線工事費用が高く、システム全体のコストアップ要因になっている。
本考案は、従来の映像を撮影する映像監視カメラに、音声入力と音声出力機構を持たせ、また、変調技術を用いて信号線の削減を図ることにより、設置の容易さと同時に、配線工事費用の削減が可能になり、システム全体のコスト削減につながる映像監視カメラを提供することを目的とする。